(57)【特許請求の範囲】
【請求項１】
船外からバラストタンクへ漲水され、又は前記バラストタンクから前記船外へ排水されるバラスト水の水処理を行うためのバラスト水処理システムであって、
電力を供給することによって前記バラスト水の水処理を行うバラスト水処理装置と、
前記バラスト水処理装置に前記バラスト水を流入させる流入流路と、
前記バラスト水処理装置から前記バラスト水を流出させる流出流路と、
前記流入流路に設けられ該流入流路の開閉を行う第１開閉手段と、
前記流出流路に設けられ該流出流路の開閉を行う第２開閉手段と、
前記流入流路における前記第１開閉手段の下流、及び前記流出流路における前記第２開閉手段の上流に接続され、前記流出流路から前記流入流路に前記バラスト水を循環させる循環流路と、
前記流入流路における前記第１開閉手段の上流に設けられ、前記バラスト水を圧送する第１圧送手段と、
前記循環流路に設けられ、前記バラスト水を圧送する第２圧送手段と、を備え、
前記第２圧送手段は、前記第１及び第２開閉手段が閉の状態において、前記循環流路により前記バラスト水が循環するように前記バラスト水を圧送することを特徴とするバラスト水処理システム。
【請求項２】
前記バラスト水処理装置と、前記第１及び第２開閉手段と、前記第１及び第２圧送手段とに接続され、これらの作動を制御する制御手段をさらに備え、
前記制御手段は、
前記第１開閉手段を開、及び前記第２開閉手段を閉とすると共に、前記第１圧送手段を作動させて前記バラスト水処理装置に前記バラスト水を注水し、
前記第１及び第２開閉手段を閉とすると共に、前記バラスト水処理装置を作動させて前記水処理を行いながら、前記第２圧送手段を作動させて前記バラスト水を前記循環流路を介して循環させた後、
前記第１及び第２開閉手段を開とすると共に、前記バラスト水処理装置を作動させて前記水処理を行いながら、前記第１圧送手段を作動させて前記バラスト水を前記バラストタンクへ漲水させ、又は前記バラストタンクから排水させることを特徴とする請求項１記載のバラスト水処理システム。
【請求項３】
請求項１記載のバラスト水処理システムを用いて前記バラスト水の水処理を行うバラスト水処理方法であって、
前記第１開閉手段を開、及び前記第２開閉手段を閉とすると共に、前記第１圧送手段を作動させて前記バラスト水処理装置に前記バラスト水を注水する第１ステップと、
前記第１ステップの後、前記第１及び第２開閉手段を閉とすると共に、前記バラスト水処理装置を作動させて前記水処理を行いながら、前記第２圧送手段を作動させて前記バラスト水を前記循環流路を介して循環させる第２ステップと、
前記第２ステップの後、前記第１及び第２開閉手段を開とすると共に、前記バラスト水処理装置を作動させて前記水処理を行いながら、前記第１圧送手段を作動させて前記バラスト水を前記バラストタンクへ漲水させ、又は前記バラストタンクから排水させる第３ステップと、を含むことを特徴とするバラスト水処理方法。
【発明の詳細な説明】
【技術分野】
【０００１】
本発明は、バラスト水処理システム及びバラスト水処理方法に関する。
【背景技術】
【０００２】
従来、例えば人為的生物広域化防除及び海洋環境保全の観点から、バラストタンクへ漲水され、又はバラストタンクから排水されるバラスト水（以下、単に「バラスト水」という）の水処理を行うためのバラスト水処理システムが開発されている。このようなバラスト水処理システムには、電力を供給することによってバラスト水の水処理を行うバラスト水処理装置（例えば、特許文献１参照）が用いられる場合がある。
【０００３】
この場合、図１０に示すように、バラスト水処理システム５０は、バラスト水処理装置５１と、シーチェスト（海水や清水等の水の取込口）５２からバラスト水処理装置５１へとバラスト水を流入させる流入流路５３と、バラスト水処理装置５１からバラストタンク５４に向けてバラスト水を流出させる流出流路５５と、を備えており、流入流路５３には、バラスト水を圧送するポンプ５６が設けられている。
【先行技術文献】
【特許文献】
【０００４】
【特許文献１】特開２００８−１８８５０６号公報
【発明の概要】
【発明が解決しようとする課題】
【０００５】
ここで、上述したようなバラスト水処理システム５０では、例えばシステム起動時において、ポンプ５６が作動される前にバラスト水処理装置５１が作動されると、バラスト水処理装置５１が無水状態運転となって発熱し、バラスト水処理装置５１が損傷してしまうおそれがある。一方、ポンプ５６が作動された後にバラスト水処理装置５１が作動されたとしても、その作動タイミング次第によって（例えばバラスト水処理装置５１の作動が遅れた場合には）、バラスト水処理装置５１で充分な水処理が行われずにバラスト水がそのままバラストタンク５４へ漲水されてしまうおそれがある。
【０００６】
そこで、本発明は、バラスト水処理装置の損傷を防ぎ且つバラスト水の水処理を確実に行うことができるバラスト水処理システム、及びバラスト水処理方法を提供することを課題とする。
【課題を解決するための手段】
【０００７】
上記課題を解決するため、本発明に係るバラスト水処理システムは、船外からバラストタンクへ漲水され、又はバラストタンクから船外へ排水されるバラスト水の水処理を行うためのバラスト水処理システムであって、電力を供給することによってバラスト水の水処理を行うバラスト水処理装置と、バラスト水処理装置にバラスト水を流入させる流入流路と、バラスト水処理装置からバラスト水を流出させる流出流路と、流入流路に設けられ該流入流路の開閉を行う第１開閉手段と、流出流路に設けられ該流出流路の開閉を行う第２開閉手段と、流入流路における第１開閉手段の下流、及び流出流路における第２開閉手段の上流に接続され、流出流路から流入流路にバラスト水を循環させる循環流路と、流入流路及び流出流路の少なくとも一方に設けられ、バラスト水を圧送する第１圧送手段と、循環流路に設けられ、バラスト水を圧送する第２圧送手段と、を備えたことを特徴とする。
【０００８】
この本発明に係るバラスト水処理システムでは、例えば、システム起動時において、次の動作を実行することができる。すなわち、まず、第１開閉手段を開及び第２開閉手段を閉とすると共に、第１圧送手段を作動してバラスト水処理装置にバラスト水を注水する。そして、第１及び第２開閉手段を閉とすると共に、バラスト水処理装置を作動して水処理を行いながら、第２圧送手段を作動してバラスト水を循環流路を介して循環させる。その後、第１及び第２開閉手段を開とすると共に、バラスト水処理装置を作動して水処理を行いながら、第１圧送手段を作動してバラスト水を漲水又は排水することができる。このように、本発明では、バラスト水処理装置を作動させる前にバラスト水処理装置にバラスト水を注水できることから、バラスト水処理装置の無水状態運転を防止することが可能となる。そして、バラスト水を漲水又は排水する前に、バラスト水を水処理しながら循環流路で循環できることから、バラスト水処理装置の作動前に注水されたバラスト水に対しても充分な水処理を行って漲水又は排水することができる。従って、バラスト水処理装置の損傷を防ぎ且つバラスト水の水処理を確実に行うことが可能となる。
【０００９】
ここで、上記作用効果を好適に奏する構成として、具体的には、バラスト水処理装置と、第１及び第２開閉手段と、第１及び第２圧送手段とに接続され、これらの作動を制御する制御手段をさらに備え、制御手段は、第１開閉手段を開、及び第２開閉手段を閉とすると共に、第１圧送手段を作動させてバラスト水処理装置にバラスト水を注水し、第１及び第２開閉手段を閉とすると共に、バラスト水処理装置を作動させて水処理を行いながら、第２圧送手段を作動させてバラスト水を循環流路を介して循環させた後、第１及び第２開閉手段を開とすると共に、バラスト水処理装置を作動させて水処理を行いながら、第１圧送手段を作動させてバラスト水を漲水又は排水させる構成が挙げられる。
【００１０】
また、本発明に係るバラスト水処理方法は、上記バラスト水処理システムを用いてバラスト水の水処理を行うバラスト水処理方法であって、第１開閉手段を開、及び第２開閉手段を閉とすると共に、第１圧送手段を作動させてバラスト水処理装置にバラスト水を注水する第１ステップと、第１ステップの後、第１及び第２開閉手段を閉とすると共に、バラスト水処理装置を作動させて水処理を行いながら、第２圧送手段を作動させてバラスト水を循環流路を介して循環させる第２ステップと、第２ステップの後、第１及び第２開閉手段を開とすると共に、バラスト水処理装置を作動させて水処理を行いながら、第１圧送手段を作動させてバラスト水を漲水又は排水させる第３ステップと、を含むことを特徴とする。
【００１１】
この本発明に係るバラスト水処理方法においても、バラスト水処理装置が作動される前にバラスト水処理装置にバラスト水が注水されることから、バラスト水処理装置の無水状態運転を防止することができる。そして、バラスト水が漲水又は排水される前に、バラスト水が水処理されながら循環流路で循環されることから、バラスト水処理装置の作動前に注水されたバラスト水に対しても充分な水処理を行って漲水又は排水することができる。。従って、バラスト水処理装置の損傷を防ぎ且つバラスト水の水処理を確実に行うことが可能となる。
【発明の効果】
【００１２】
本発明によれば、バラスト水処理装置の損傷を防ぎ且つバラスト水の水処理を確実に行うことが可能となる。
【図面の簡単な説明】
【００１３】
【図１】本発明の第１実施形態に係るバラスト水処理システムの動作を示す概略フロー図である。
【図２】図１の続きを示す概略フロー図である。
【図３】図１のバラスト水処理システムの動作を示すフローチャートである。
【図４】本発明の第２実施形態に係るバラスト水処理システムの動作を示す概略フロー図である。
【図５】図４の続きを示す概略フロー図である。
【図６】図４のバラスト水処理システムの動作を示すフローチャートである。
【図７】本発明の第３実施形態に係るバラスト水処理システムの動作を示す概略フロー図である。
【図８】図７の続きを示す概略フロー図である。
【図９】図７のバラスト水処理システムの動作を示すフローチャートである。
【図１０】従来のバラスト水処理システムを示す概略図である。
【発明を実施するための形態】
【００１４】
以下、添付図面を参照して、本発明の好適な実施形態について詳細に説明する。なお、以下の説明において、同一又は相当要素には同一符号を付し、重複する説明を省略する。
【００１５】
［第１実施形態］
まず、本発明の第１実施形態について説明する。図１，２は、本発明の第１実施形態に係るバラスト水処理システムの動作を示す概略フロー図であり、図３は、図１のバラスト水処理システムの動作を示すフローチャートである。図１，２に示すように、本実施形態のバラスト水処理システム１は、船舶に搭載され、シーチェスト（Sea Chest）２からバラストタンク（Water Ballast Tank）３へ漲水されるバラスト水（以下、単に「バラスト水」という）Ｗの水処理を行う。
【００１６】
シーチェスト２は、海水や清水等の水を船外からバラスト水Ｗとして取り込むための取込口である。バラストタンク３は、その内部にバラスト水Ｗを貯留することによって、バラスト水Ｗの重みで船体全体を一定のレベルまで沈下させる機能を有している。ここでのバラストタンク３は、例えば船体の外板の内側に内部隔壁を設けて二重船殻構造とすることによって構成されている。
【００１７】
このバラスト水処理システム１は、バラスト水処理装置４、流入流路５、流出流路６及び循環流路７を備えている。バラスト水処理装置４は、電力を供給することによってバラスト水Ｗの水処理（水生生物の除去）を行う電気式のものである。このバラスト水処理装置４としては、種々のものを用いることができ、例えば電極に電力を印加してバラスト水Ｗを電解処理するもの、紫外線ランプに電力を印加して紫外線照射することによりバラスト水Ｗを水処理するもの、電力の印加で電場を発生させて電気ショックを与えることにより水処理するもの、等が挙げられる。
【００１８】
流入流路５は、シーチェスト２及びバラスト水処理装置４に接続され、バラスト水処理装置４にバラスト水Ｗを流入させる。この流入流路５には、該流入流路５の開閉を行う電磁弁等の弁（第１開閉手段）Ｖ１が設けられている。また、流入流路５において弁Ｖ１の上流には、バラスト水Ｗを下流側へと圧送するバラスト水ポンプ（第１圧送手段）Ｐ１が設けられている。
【００１９】
流出流路６は、バラストタンク３及びバラスト水処理装置４に接続され、バラスト水処理装置４からバラスト水を流出させる。この流出流路６には、該流出流路６の開閉を行う電磁弁等の弁（第２開閉手段）Ｖ２が設けられている。
【００２０】
循環流路７は、流出流路６と流入流路５とをバイパスするように設けられた流路であり、具体的には、その一端が流入流路５における弁Ｖ１の下流に接続されていると共に、その他端が流出流路６における弁Ｖ２の上流に接続されている。この循環流路７は、流出流路６から流入流路５にバラスト水Ｗを循環させる。
【００２１】
また、循環流路７において流入流路５側と流出流路６側とには、循環流路７の開閉を行う電磁弁等の弁Ｖ３，Ｖ４がそれぞれ設けられている。さらにまた、循環流路７の弁Ｖ３，Ｖ４間には、流出流路６から流入流路５にバラスト水Ｗが循環するようバラスト水Ｗを圧送する循環ポンプ（第２圧送手段）Ｐ２が設けられている。
【００２２】
また、バラスト水処理システム１は、バラスト水処理装置４、弁Ｖ１〜Ｖ４及びポンプＰ１，Ｐ２に接続された制御部（制御手段）８を備えている。制御部８は、例えばＣＰＵ、ＲＯＭ、及びＲＡＭ等から構成され、バラスト水処理装置４、弁Ｖ１〜Ｖ４及びポンプＰ１，Ｐ２の作動（動作）を制御する。
【００２３】
このように構成された本実施形態のバラスト水処理システム１では、例えばシステム起動時において、制御部８により次の動作（バラスト水処理方法）が実行される。すなわち、まず、図１（ａ）に示すように、弁Ｖ１が開（開状態）、及び弁Ｖ２〜Ｖ４が閉（閉状態）とされると共に、バラスト水ポンプＰ１が作動され、シーチェスト２からバラスト水処理装置４にバラスト水Ｗが注水される（Ｓ１，Ｓ２：注水ステップ（第１ステップ））。そして、バラスト水処理装置４内がバラスト水Ｗで満たされてバラスト水処理装置４への張水が完了した後、バラスト水ポンプＰ１が停止（ストップ）される（Ｓ３，Ｓ４）。
【００２４】
続いて、図１（ｂ）に示すように、弁Ｖ１，Ｖ２が閉、及び弁Ｖ３，Ｖ４が開とされると共に、バラスト水処理装置４が作動されて水処理が行われつつ、循環ポンプＰ２が作動されてバラスト水Ｗが循環流路７を介して循環される（Ｓ５，Ｓ６：循環処理ステップ（第２ステップ））。これにより、上記注水ステップで注水された未処理のバラスト水Ｗが、充分に水処理される。
【００２５】
そして、図２に示すように、弁Ｖ１，Ｖ２が開、及び弁Ｖ３，Ｖ４が閉とされると共に、通常のバラスト水Ｗ処理と同様に、バラスト水処理装置４が作動されて水処理が行われつつ、バラスト水ポンプＰ１が作動されてバラスト水Ｗがバラストタンク３へ漲水される（Ｓ７，Ｓ８：通常処理ステップ（第３ステップ））。
【００２６】
ちなみに、通常処理ステップ以降、循環流路７内に残ったバラスト水Ｗは、循環流路７に接続されたドレン（不図示）で船外へと排水される。
【００２７】
以上、本実施形態では、バラスト水処理装置４を作動させる前に該バラスト水処理装置４にバラスト水Ｗを注水して満たすことができる。よって、バラスト水処理装置４の無水状態運転を防止することができ、ひいては、バラスト水処理装置４の異常発熱等を抑制する可能となる。
【００２８】
そして、バラスト水Ｗを漲水する前にバラスト水Ｗを水処理しながら循環流路７で循環できることから、バラスト水処理装置４の作動前に注水されたバラスト水Ｗに対しても充分な水処理を行って漲水することができる。つまり、バラスト水処理装置４を作動前に通過したバラスト水Ｗ、もしくは処理不充分なバラスト水Ｗがそのままバラストタンク３に漲水されるのを防止することが可能となる。
【００２９】
従って、本実施形態によれば、バラスト水処理装置４の損傷を防ぎ、且つバラスト水Ｗの水処理を確実に行うことが可能となる。その結果、バラスト水処理システム１の安全性を向上させつつ、未処理のバラスト水Ｗが漲水されるリスクを低減することが可能となる。
【００３０】
また、本実施形態では、既存のバラスト水処理システムに循環流路系（つまり、循環流路７、弁Ｖ３，Ｖ４及び循環ポンプＰ２）を設置するだけで実現でき、追加対策として容易に実施することが可能となっている。
【００３１】
なお、本実施形態では、シーチェスト２からバラストタンク３へバラスト水Ｗを漲水するバラスト水処理システム１を例示して説明したが、これと逆になるよう構成にし、バラストタンク３からシーチェスト２へバラスト水を排水するバラスト水処理システムとしても勿論よい。さらに、これらを適宜に組み合わせ（例えば流路及び弁を別途設ける等して）、バラスト水Ｗを漲水及び排水するバラスト水処理システムとすることも可能である（以下の実施形態について同じ）。
【００３２】
［第２実施形態］
次に、本発明の第２実施形態について説明する。なお、本実施形態の説明では、上記第１実施形態と同様の説明を省略し、異なる点について主に説明する。
【００３３】
図４，５は、本発明の第２実施形態に係るバラスト水処理システムの動作を示す概略フロー図であり、図６は、図４のバラスト水処理システムの動作を示すフローチャートである。図４，５に示すように、本実施形態のバラスト水処理システム２０が上記バラスト水処理システム１（図１参照）と異なる点は、バッファタンク２１をさらに備えた点である。
【００３４】
バッファタンク２１は、バラスト水Ｗを一時的に貯留する所定容量のタンクであり、循環流路７において循環ポンプＰ２と弁Ｖ４との間に接続されている。
【００３５】
このような本実施形態のバラスト水処理システム２０では、例えばシステム起動時において、まず、図４（ａ）に示すように、弁Ｖ１，Ｖ４が開、及び弁Ｖ２，Ｖ３が閉とされると共に、バラスト水ポンプＰ１が作動され、シーチェスト２からバラスト水処理装置４及びバッファタンク２１にバラスト水Ｗが注水される（Ｓ２１，Ｓ２２：注水ステップ）。そして、少なくともバラスト水処理装置４内がバラスト水Ｗで満たされてバラスト水処理装置４への張水が完了した後、バラスト水ポンプＰ１が停止される（Ｓ２３，Ｓ２４）。
【００３６】
続いて、図４（ｂ）に示すように、バラスト水ポンプＰ１が停止され、弁Ｖ１，Ｖ２が閉、及び弁Ｖ３，Ｖ４が開とされると共に、バラスト水処理装置４が作動されて水処理が行われつつ、循環ポンプＰ２が作動されてバラスト水Ｗが循環流路７を介して循環される（Ｓ２５，Ｓ２６：循環処理ステップ）。これにより、上記注水ステップで注水された未処理のバラスト水Ｗが、充分に水処理される。
【００３７】
続いて、図５（ａ）に示すように、弁Ｖ１〜Ｖ３が開、及び弁Ｖ４が閉とされて循環流路７の流入箇所が閉鎖され、バッファタンク２１内のバラスト水Ｗが流入流路５に排水され、その後、循環ポンプＰ２が停止される（Ｓ２７，Ｓ２８：バッファタンク排水ステップ）。
【００３８】
そして、図５（ａ）に示すように、弁Ｖ１，Ｖ２が開、及び弁Ｖ３，Ｖ４が閉とされると共に、通常のバラスト水Ｗ処理と同様に、バラスト水処理装置４が作動されて水処理が行われつつ、バラスト水ポンプＰ１が作動されてバラスト水Ｗがバラストタンク３へ漲水される（Ｓ２９，Ｓ３０：通常処理ステップ）。
【００３９】
以上、本実施形態では、循環流路７にバッファタンク２１が設けられ、循環流路７で循環するバラスト水Ｗがバッファタンク２１内に一時的に貯留されるため、上記循環処理ステップを安定して実施することができる。よって、バラスト水処理装置４の無水状態運転を一層防止して該バラスト水処理装置４の損傷を防ぐと共に、バラスト水Ｗの水処理を一層確実に行うことが可能となる。
【００４０】
なお、本実施形態では、上記注水ステップにおいて少なくともバラスト水処理装置４内がバラスト水Ｗで満たされた後に上記循環処理ステップに移行されているが、バラスト水処理装置４及びバッファタンク２１内がともにバラスト水Ｗで満たされるまでの所定時間経過した後に、上記循環処理ステップに移行される場合もある。
【００４１】
［第３実施形態］
次に、本発明の第３実施形態について説明する。なお、本実施形態の説明では、上記第２実施形態と同様の説明を省略し、異なる点について主に説明する。
【００４２】
図７，８は、本発明の第３実施形態に係るバラスト水処理システムの動作を示す概略フロー図であり、図９は、図７のバラスト水処理システムの動作を示すフローチャートである。図７，８に示すように、本実施形態のバラスト水処理システム３０が上記バラスト水処理システム２０（図４参照）と異なる点は、バラスト水センサ３１をさらに備えた点である。
【００４３】
バラスト水センサ３１は、バラスト水Ｗの水処理が所定レベルに達するまで充分に行われているか否かを検知するセンサであり、流出流路６においてバラスト水処理装置４と循環流路７に対する接続部６ａとの間に接続されている。
【００４４】
このような本実施形態のバラスト水処理システム３０では、図７（ａ）に示すように、例えば上記通常処理ステップ時（上記Ｓ２９，Ｓ３０）において、バラスト水センサ３１によって「水処理ＯＫ（つまり、水処理が充分に行われている）」が検知されている場合、引き続き上記通常処理ステップが実行される（Ｓ３１）。
【００４５】
一方、図７（ｂ）に示すように、バラスト水センサ３１によって「水処理ＮＧ（つまり、水処理が充分に行われていない）」が検知されると、弁Ｖ１，Ｖ４が開、及び弁Ｖ２，Ｖ３が閉とされ、バラスト水センサ３１によって「水処理ＯＫ」が検知されるまで、バッファタンク２１にバラスト水Ｗが注水される（Ｓ３１〜Ｓ３３：バッファタンク注水ステップ）。
【００４６】
続いて、図８（ａ）に示すように、バラスト水センサ３１で「水処理ＯＫ」が検出された後（上記Ｓ３３の後）、弁Ｖ１〜Ｖ３が開、及び弁Ｖ４が閉とされると共に、循環ポンプＰ２が作動される（Ｓ３４，Ｓ３５：バッファタンク排水ステップ）。これにより、「水処理ＮＧ」とされバッファタンク２１に貯留されたバラスト水Ｗは、バラスト水処理装置４で再度水処理されることとなる。そして、図８（ｂ）に示すように、バッファタンク２１が空になったとき、循環ポンプＰ２が停止され、上記通常処理ステップへ再び移行される（Ｓ３６〜Ｓ３８）。
【００４７】
以上、本実施形態では、バラスト水センサ３１によって「水処理ＮＧ」とされたバラスト水Ｗが、バラスト水処理装置４で再度水処理される。よって、バラスト水処理装置４の性能自体が不充分で、その水処理が不充分となってしまう場合でも、バラスト水処理装置４を停止することなく再処理することが可能となる。
【００４８】
以上、本発明の好適な実施形態について説明したが、本発明に係るバラスト水処理システムは、実施形態に係る上記バラスト水処理システム１，２０，３０に限られるものではなく、各請求項に記載した要旨を変更しない範囲で変形し、又は他のものに適用したものであってもよい。
【００４９】
例えば、上記実施形態では、流入流路５にバラスト水ポンプＰ１が設置されているが、バラスト水ポンプＰ１は、流出流路６に設置されていてもよいし、流入流路５及び流出流路６の双方に設置されていてもよい。
【００５０】
また、上記ポンプＰ１，Ｐ２を１つのポンプで兼用するように構成してもよく、例えば、流入流路５において循環流路の接続箇所とバラスト水処理装置４との間にポンプを配置し、かかるポンプで上記ポンプＰ１，Ｐ２を兼用させてもよい。
【００５１】
また、上記実施形態では、制御部８を備え、この制御部８によってバラスト水処理装置４、弁Ｖ１〜Ｖ４及びポンプＰ１，Ｐ２の作動（動作）を制御しているが、この制御部８を備えず、例えばオペレータがバラスト水処理装置４、弁Ｖ１〜Ｖ４及びポンプＰ１，Ｐ２の作動を操作（制御）する場合もある。
【符号の説明】
【００５２】
１，２０，３０…バラスト水処理システム、３…バラストタンク、４…バラスト水処理装置、５…流入流路、６…流出流路、７…循環流路、８…制御部（制御手段）、Ｐ１…バラスト水ポンプ（第１圧送手段）、Ｐ２…循環ポンプ（第２圧送手段）、Ｖ１…弁（第１開閉手段）、Ｖ２…弁（第２開閉手段）。
【図１】
0005389703.tif 000002
【図２】
0005389703.tif 000003
【図３】
0005389703.tif 000004
【図４】
0005389703.tif 000005
【図５】
0005389703.tif 000006
【図６】
0005389703.tif 000007
【図７】
0005389703.tif 000008
【図８】
0005389703.tif 000009
【図９】
0005389703.tif 000010
【図１０】
0005389703.tif 000011